(57)【要約】      （修正有） 【課題】ポケット内に雨水等が侵入しないため、ポケット内に入れた資料やタバコ等が雨水等によって駄目にされることがないパトロールベストを提供する。【解決手段】表面にポケット部と胸ポケット部のいずれか一方又は両方を設けて裏面下部の左端に面ファスナーを取り付けた左前面部と、表面にポケット部と胸ポケット部のいずれか一方又は両方を設けて、裏面下部の右端に面ファスナーを取り付けて、左辺部を左前面部の右辺部とファスナーにより着脱可能とした右前面部と、下部両端に面ファスナーを取付けて上端の肩部に前記左右前面部の上端を連設した背面部からなる。左右前面部の裏面に取り付けた面ファスナーと背面部の面ファスナーを着脱及びサイズ調節可能とする。【選択図】図１
0003154754.tif 000002
【実用新案登録請求の範囲】
【請求項１】
表面にポケット部と胸ポケット部のいずれか一方又は両方を設けて裏面下部の左端に面ファスナーを取り付けた左前面部と、表面にポケット部と胸ポケット部のいずれか一方又は両方を設けて裏面下部の右端に面ファスナーを取り付けて左辺部を前記左前面部の右辺部とファスナーにより着脱可能とした右前面部と、下部両端に面ファスナーを取付けて上端の肩部に前記左右前面部の上端を連設した背面部からなり、前記左右前面部の裏面に取り付けた面ファスナーと背面部の面ファスナーを着脱及びサイズ調節可能としたことを特徴とするパトロールベスト。
【請求項２】
前記ポケット部を、裏面下部に面ファスナーを備えた蓋片と、表面に前記蓋片の面ファスナーに対応する面ファスナーを備えて前記蓋片により上部を開閉可能としたポケットと、前記蓋片の内側に取り付ける防水内蓋片を上端に連設して前記ポケットの内側に設置される防水内ポケットからなるポケット部としたことを特徴とする請求項１に記載のパトロールベスト。
【請求項３】
前記胸ポケット部を、裏面下部に面ファスナーを備えた蓋片と、表面に前記蓋片の面ファスナーに対応する面ファスナーを備えて前記蓋片により上部を開閉可能とした胸ポケットと、前記蓋片の内側に取り付ける防水内蓋片を上端に連設して前記胸ポケットの内側に設置される防水内ポケットからなる胸ポケット部としたことを特徴とする請求項１又は請求項２のいずれかに記載のパトロールベスト。
【請求項４】
前記左右前面部及び背面部を、上部と下部にパトロールベストに対して横方向に反射材を備えた左右前面部及び背面部とし、前記ポケット部及び胸ポケット部を、奥行き空間に３ｃｍ程度のゆとりがあるポケットからなるポケット部及び胸ポケット部としたことを特徴とする請求項１乃至請求項３のいずれか１項に記載のパトロールベスト。
【考案の詳細な説明】
【技術分野】
【０００１】
本考案は、交通安全や防犯運動等で着用するパトロールベストに関する。
【背景技術】
【０００２】
パトロールベストとしては、防水又は撥水効果のあるビニール製で、ポケットを備えたものや反射材を取り付けたものがあった。
【０００３】
しかしながら、従来のパトロールベストでは、ベスト自体がビニール製であるため防水又は撥水効果があったが、ポケット内に雨水等が侵入することが多く、例えば、防犯活動などで使用する地図や資料、その他タバコや携帯電話等をポケットに入れていた場合に侵入した雨水により駄目にしてしまうことがあった。
【先行技術文献】
【特許文献】
【０００４】
【特許文献１】特開２００３−２０１６０６号公報
【考案の概要】
【考案が解決しようとする課題】
【０００５】
そこで、本考案は、ポケット内に雨水等が侵入しないため、ポケット内に入れた資料やタバコや携帯電話等が雨水等によって駄目にされることがないパトロールベストを提供する。
【課題を解決するための手段】
【０００６】
本考案は、上記の課題を解決するために、まず、表面にポケット部と胸ポケット部のいずれか一方又両方を設けて裏面下部の左端に面ファスナーを取り付けた左前面部２と、表面にポケット部と胸ポケット部のいずれか一方又は両方を設けて裏面下部の右端に面ファスナーを取り付けて左辺部を前記左前面部２の右辺部とファスナー７により着脱可能とした右前面部３と、下部両端に面ファスナーを取付けて上端の肩部に前記左右前面部の上端を連設した背面部６からなり、前記左右前面部の裏面に取り付けた面ファスナー２ｂ、３ｂと背面部の面ファスナー６ｂ、６ｂを着脱及びサイズ調節可能としたことを特徴とするパトロールベストの構成とした。
【０００７】
また、前記ポケット部を、裏面下部に面ファスナー４ｃを備えた蓋片４ｂと、表面に前記蓋片の面ファスナー４ｃに対応する面ファスナー４ｄを備えて前記蓋片４ｂにより上部を開閉可能としたポケット４ａと、前記蓋片４ｂの内側に取り付ける防水内蓋片４ｆを上端に連設して前記ポケット４ａの内側に設置される防水内ポケット４ｅからなるポケット部としたことを特徴とするパトロールベストの構成とした。
【０００８】
更に、前記胸ポケット部を、裏面下部に面ファスナー５ｃを備えた蓋片５ｂと、表面に前記蓋片の面ファスナー５ｃに対応する面ファスナー５ｄを備えて前記蓋片５ｂにより上部を開閉可能とした胸ポケット５ａと、前記蓋片５ｂの内側に取り付ける防水内蓋片５ｆを上端に連設して前記胸ポケット５ａの内側に設置される防水内ポケット５ｅからなる胸ポケット部５としたことを特徴とするパトロールベストの構成とした。
【０００９】
加えて、前記左右前面部及び背面部を、上部と下部にパトロールベストに対して横方向に反射材を備えた左右前面部及び背面部とし、前記ポケット部及び胸ポケット部を、奥行き空間に３ｃｍ程度のゆとりがあるポケットからなるポケット部及び胸ポケット部としたことを特徴とする記載のパトロールベストの構成とした。
【考案の効果】
【００１０】
本考案のパトロールベストでは、各ポケット内に防水内ポケットを備えたため、雨によってポケット内に雨水等が侵入しても、防水内ポケットにより侵入を阻止することができ、大事な資料やタバコを守ることができる。
【００１１】
また、胸ポケットの内部空間を幅広にしたため、タバコや筆記具等を余裕を持たせて携行することができる。
【図面の簡単な説明】
【００１２】
【図１】本考案であるパトロールベストの正面図である。
【図２】本考案であるパトロールベストの背面図である。
【図３】本考案であるパトロールベストのポケット部の拡大図である。
【図４】本考案であるパトロールベストのＡ−Ａ線断面図である。
【図５】本考案であるパトロールベストの胸ポケット部の断面図である。
【考案を実施するための形態】
【００１３】
以下、添付の図面を参照し、本考案の実施の形態について詳細に説明する。
【実施例１】
【００１４】
図１は図１は本考案であるパトロールベストの正面図、図２はパトロールベストの背面図、図３はパトロールベストのポケット部の拡大図、図４はパトロールベストのＡ−Ａ線断面図、図５はパトロールベストの胸ポケット部の断面図である。
【００１５】
図１及び図２に示すように、本考案であるパトロールベスト１は、表面にポケット部４と胸ポケット部のいずれか一方又は両方を設けて裏面下部の左端に面ファスナー２ｂを取り付けた左前面部２と、表面にポケット部４と胸ポケット部５のいずれか一方又は両方を設けて裏面下部の右端に面ファスナー３ｂを取り付けて左辺部を前記左前面部２の右辺部とファスナー７により着脱可能とした右前面部３と、下部両端に面ファスナー６ｂを取付けて上端の肩部に前記左右前面部の上端を連設した背面部６からなり、前記左右前面部の裏面に取り付けた面ファスナー２ｂ、３ｂと背面部の面ファスナー６ｂ、６ｂを着脱及びサイズ調節可能とした。
【００１６】
前記左右前面部２、３の胸部分及び腹部分には本考案のパトロールベスト１に対して横方向に向かって反射材２ａ、３ａが取り付けられており、更に背面部６の上部及び下部、即ち、前記反射板２ａ、３ａと同じ高さに反射材６ａを取り付けている。
【００１７】
前記背面部６の上端である一方の肩部には左前面部２の上端が連接しており、他方の肩部には右前面部３の上端が連設している。従って、前記左右前面部２、３をファスナー７で連結している状態では、首部６ｅに頭を通してパトロールベスト１を被るように装着することができる。
【００１８】
前記背面部６の下部の両端は左右片６ｃ、６ｄとして左右に突出しており、前記左右片６ｃ、６ｄの表面には面ファスナー６ｂ、６ｂが取り付けられている。
【００１９】
前記左片６ｃの面ファスナー６ｂは、前記左前面部２の面ファスナー２ｂと着脱することができ、他方右片６ｄの面ファスナー６ｂは、前記右前面部３の面ファスナー３ｂと着脱することができる。従って、前記左右片６ｃ、６ｄを左右前面部２、３と連結している状態ではファスナー７を開けることで、衣服を着るような方法で装着することができる。
【００２０】
図１、図３及び図４に示すように、前記左右前面部２、３にはポケット部４が取り付けられており、前記ポケット部４は裏面下部に面ファスナー４ｃを備えた蓋片４ｂと、表面に前記蓋片の面ファスナー４ｃに対応する面ファスナー４ｄを備えて前記蓋片４ｂにより上部を開閉可能としたポケット４ａと、前記蓋片４ｂの内側に取り付ける防水内蓋片４ｆを上端に連設して前記ポケット４ａの内側に設置される防水内ポケット４ｅからなる。
【００２１】
図３に示すように、前記ポケット４の内側には、防水機能が高い防水内ポケット４ｅが取り付けられており、所謂、二重構造のポケットとなっている。更に蓋片４ｂにも防水内蓋片４ｆが取り付けられており、二重構造となっている。
【００２２】
以上のようにポケットを二重構造とし、更に内ポケットについては防水機能の高い素材のものを使用することで、ポケット部４に入れたものが雨水等で駄目にされることを防ぐ。
【００２３】
図１及び図５に示すように、前記右前面部３の胸付近には胸ポケット部５が取り付けられており、前記胸ポケット部５は、裏面下部に面ファスナー５ｃを備えた蓋片５ｂと、表面に前記蓋片の面ファスナー５ｃに対応する面ファスナー５ｄを備えて前記蓋片５ｂにより上部を開閉可能とした胸ポケット５ａと、前記蓋片５ｂの内側に取り付ける防水内蓋片５ｆを上端に連設して前記胸ポケット５ａの内側に設置される防水内ポケット５ｅからなり、胸ポケット５ａの奥行きの空間５ｇが前記ポケット４の空間４ｇよりも広くなっている。
【００２４】
図５に示すように、前記胸ポケット５の内側には、防水機能が高い防水内ポケット５ｅが取り付けられており、所謂、二重構造のポケットとなっている。更に蓋片５ｂにも防水内蓋片５ｆが取り付けられており、二重構造となっている。
【００２５】
以上のようにポケットを二重構造とし、更に内ポケットについては防水機能の高い素材のものを使用することで、胸ポケット部に入れたものが雨水等で駄目にされることを防ぐ。
【００２６】
前述の通り、胸ポケット５ａの空間５ｇは広めになっており、幅３ｃｍ程度を予定しているが、この空間５ｇの幅については特に限定したものではない。また、ポケット４ａの空間４ｇについても胸ポケット５ａと同様に広くしても構わない。
【００２７】
更に、胸ポケット部５については、左前面部２に取り付けても、左右前面部２、３の両方に取り付けても構わない。
【産業上の利用可能性】
【００２８】
本考案であるパトロールベストは、ポケット内の防水効果が高いため、雨天時や水辺などのパトロールに利用することができる。
【符号の説明】
【００２９】
１    パトロールベスト
２    左前面部
２ａ  反射材
２ｂ  面ファスナー
３    右前面部
３ａ  反射材
３ｂ  面ファスナー
４    ポケット部
４ａ  ポケット
４ｂ  蓋片
４ｃ  面ファスナー
４ｄ  面ファスナー
４ｅ  防水内ポケット
４ｆ  防水内蓋片
４ｇ  空間
５    胸ポケット部
５ａ  胸ポケット
５ｂ  蓋片
５ｃ  面ファスナー
５ｄ  面ファスナー
５ｅ  防水内ポケット
５ｆ  防水内蓋片
５ｇ  空間
６    背面部
６ａ  反射材
６ｂ  反射材
６ｃ  左片
６ｄ  右片
６ｅ  首部
７    ファスナー
【図１】
0003154754.tif 000003
【図２】
0003154754.tif 000004
【図３】
0003154754.tif 000005
【図４】
0003154754.tif 000006
【図５】
0003154754.tif 000007